(57)【要約】【課題】サージングや、送風性能の悪化を最小限に抑えつつ、壁やカーテンの脱臭まで行う空気調和機の構成を提供すること。【解決手段】ペルチエ素子６を有して、冷却面８に結露した水を、放電によってクラスターにして空気中に放出させる水クラスター発生装置５を、送風回路の吹出口４内において、リアガイダの両端部の送風機近傍か前吹出し口部までの間に設けられたブロック１２に囲まれるように配したことを特徴とする空気調和機。【選択図】図１
2006097955.tif 000002
【特許請求の範囲】
【請求項１】
熱交換器と、送風機と、吸入口から前記熱交換器、前記送風機を通って吹出口に至る送風回路と、ペルチエ素子を有して、冷却面と放熱フィンを有し、冷却面に結露した水を、放電によってクラスター粒子にして空気中に放出させる水クラスター発生装置を備え、この水クラスター発生装置を、リアガイダの両端部の送風機近傍か前吹出し口部までの間に設けられたブロックに囲まれるように配したことを特徴とする空気調和機。
【請求項２】
熱交換器と、送風機と、吸入口から前記熱交換器、前記送風機を通って吹出口に至る送風回路と、ペルチエ素子を有して、冷却面と放熱フィンを有し、冷却面に結露した水を、放電によってクラスター粒子にして空気中に放出させる水クラスター発生装置を備え、前記放熱フィンのみを前記送風回路の吹出口内に配し、リアガイダの両端部の送風機近傍か前吹出し口部までの間に設けられたブロックに囲まれるように配し、前記ペルチエ素子冷却面から真下へ本体下部の開口に至る送風路を形成したことを特徴とする空気調和機。
【請求項３】
熱交換器と、送風機と、吸入口から前記熱交換器、前記送風機を通って吹出口に至る送風回路と、ペルチエ素子を有して、冷却面と放熱フィンを有し、冷却面に結露した水を、放電によってクラスター粒子にして空気中に放出させる水クラスター発生装置を備え、前記放熱フィンのみを前記送風回路の吹出口内に配し、前記ペルチエ素子冷却面から真下へ本体下部の開口に至る送風路を形成したことを特徴とする空気調和機。
【請求項４】
前記本体下部の開口付近に第２の送風機を設けたことを特徴とする請求項２、３に記載の空気調和機。
【請求項５】
熱交換器と、送風機と、吸入口から前記熱交換器、前記送風機を通って吹出口に至る送風回路と、ペルチエ素子を有して、冷却面と放熱フィンを有し、冷却面に結露した水を、放電によってクラスター粒子にして空気中に放出させる水クラスター発生装置を備え、この水クラスター発生装置を、両側壁の送風機近傍か前吹出し口部までの間に設けられたブロックに囲まれるように配したことを特徴とする空気調和機。
【請求項６】
熱交換器と、送風機と、吸入口から前記熱交換器、前記送風機を通って吹出口に至る送風回路と、ペルチエ素子を有して、冷却面と放熱フィンを有し、冷却面に結露した水を、放電によってクラスター粒子にして空気中に放出させる水クラスター発生装置を備え、前記放熱フィンのみを前記送風回路の吹出口内に配し、両側壁の送風機近傍か前吹出し口部までの間に設けられたブロックに囲まれるように配し、前記ペルチエ素子冷却面から真下へ本体側部の開口に至る送風路を形成したことを特徴とする空気調和機。
【請求項７】
熱交換器と、送風機と、吸入口から前記熱交換器、前記送風機を通って吹出口に至る送風回路と、ペルチエ素子を有して、冷却面と放熱フィンを有し、冷却面に結露した水を、放電によってクラスター粒子にして空気中に放出させる水クラスター発生装置を備え、前記放熱フィンのみを前記吹出口の側壁に備え、前記ペルチエ素子冷却面から真横へ本体側部の開口に至る送風路を形成したことを特徴とする空気調和機。
【請求項８】
前記本体側部の開口付近に第２の送風機を設けたことを特徴とする請求項６，７に記載の空気調和機。
【発明の詳細な説明】
【技術分野】
【０００１】
本発明は、水のクラスターを室内に放出することで、壁やカーテンの脱臭を行う、空気調和機の構成に関する。
【背景技術】
【０００２】
近年の空気調和機は冷房や暖房を行うに留まらず、室内空気の質向上を図るべく、浮遊塵埃やアレルゲンの除去、脱臭、抗菌などの各種機能が付与されている。これらの手段としては、空気吸入口に各種のフィルタ類を設けて濾し採るあるいは吸着するといった方式のものが発明されている（例えば、特許文献１参照）。
【特許文献１】特開平８−２２４４１３号公報
【発明の開示】
【発明が解決しようとする課題】
【０００３】
しかしながら、前記従来の構成では、フィルタ類の汚損が進行すると通風抵抗が増加して、送風性能が低下して、冷暖房時のエネルギー消費を増大させ、且つ、サージング（断続的異常音）が発生し易くなるばかでなく、適宜、清掃・手入れを行わないと塵埃や臭いがフィルタに堆積するためにかえって逆効果となる可能性があるという課題を有していた。
【０００４】
また、上記のような方式で脱臭を行う場合、室内空気中の臭い成分は比較的速やかに除去されるが、室内の壁やカーテン等に付着している臭い成分までは除去できず、室内には臭いが残ってしまうという課題があった。
【０００５】
本発明は、前記従来の課題を解決するもので、安全性が高く、室内の壁やカーテン等に付着している臭い成分まで除去できる機能を有しながら、送風性能の低下が少なく、サージングを抑えることのできる空気調和機を提供することを目的とする。
【課題を解決するための手段】
【０００６】
前記従来の課題を解決するために、本発明の空気調和機は、熱交換器と、送風機と、吸入口から前記熱交換器、前記送風機を通って吹出口に至る送風回路と、ペルチエ素子を有して、冷却面に結露した水を、放電によってクラスターにして空気中に放出させる水クラスター発生装置を備え、この水クラスター発生装置を前記送風回路の吹出口内にサージング低減のために配したブロックに囲まれるように配したものである。
【０００７】
これによって、脱臭効果が高い水クラスターを、空気調和機の吹出し風に乗せて室内に拡散させることにより、室内の壁やカーテン等に付着している臭い成分まで除去できる上に、放出成分が水であるために、高い安全性が確保されるものである。また、送風性能の低下を最小限に抑え、且つ、フィルタに埃等が蓄積し、通風抵抗が増加した際に生じ易くなるサージングを抑えることができる。
【発明の効果】
【０００８】
本発明は、安全性が高く、室内の壁やカーテン等に付着している臭い成分まで除去できる機能を有しながら、送風性能の低下を最小限に抑え、且つ、サージングを抑えることのできる空気調和機を提供することができる。
【発明を実施するための最良の形態】
【０００９】
第１の発明は、熱交換器と、送風機と、吸入口から前記熱交換器、前記送風機を通って吹出口に至る送風回路と、ペルチエ素子を有して、冷却面と放熱フィンを有し、冷却面に結露した水を、放電によってクラスター粒子にして空気中に放出させる水クラスター発生装置を備え、この水クラスター発生装置を、リアガイダの両端部の送風機近傍から前吹出し口部までの間に設けられたブロックに囲まれるように配することで、水クラスター発生装置にサージング抑止のためのブロックと同様の役割を担わせ、且つ、通風抵抗を最小限に抑えることによって、送風性能の低下を最小限に抑えることができる。
【００１０】
第２の発明は、前記放熱フィンのみを前記送風回路の吹出口内に配し、リアガイダの両端部の送風機近傍か前吹出し口部までの間に設けられたブロックに囲まれるように配し、前記ペルチエ素子冷却面から真下へ本体下部の開口に至る第２の送風路をすることにより、送風回路内における水クラスター発生装置の通風抵抗を小さくし、サージングを抑えつつ、クラスター粒子を室内に拡散させることができる。
【００１１】
第３の発明は、熱交換器と、送風機と、吸入口から前記熱交換器、前記送風機を通って吹出口に至る送風回路と、ペルチエ素子を有して、冷却面と放熱フィンを有し、冷却面に結露した水を、放電によってクラスター粒子にして空気中に放出させる水クラスター発生装置を備え、前記放熱フィンのみを前記送風回路の吹出口内に配し、前記ペルチエ素子冷却面から真下へ本体下部の開口に至る第２の送風路を形成することにより、送風回路内における水クラスター発生装置の通風抵抗を最小限に抑えながら、クラスター粒子を室内に拡散させることができる。
【００１２】
第４の発明は、特に、第２および第３の発明の本体下部の開口付近に第２の送風機を設けることにより、室内にクラスター粒子を拡散させやすくすることができる。
【００１３】
第５の発明は、熱交換器と、送風機と、吸入口から前記熱交換器、前記送風機を通って吹出口に至る送風回路と、ペルチエ素子を有して、冷却面と放熱フィンを有し、冷却面に結露した水を、放電によってクラスター粒子にして空気中に放出させる水クラスター発生装置を備え、この水クラスター発生装置を、両側面の送風機近傍から前吹出し口部までの間に設けられたブロックに囲まれるように配することで、水クラスター発生装置にサージング抑止のためのブロックと同様の役割を担わせ、且つ、通風抵抗を最小限に抑えることによって、送風性能の低下を最小限に抑えることができる。
【００１４】
第６の発明は、前記放熱フィンのみを前記送風回路の吹出口内に配し、両側壁の送風機近傍か前吹出し口部までの間に設けられたブロックに囲まれるように配し、前記ペルチエ素子冷却面から真横へ本体側部の開口に至る第２の送風路をすることにより、送風回路内における水クラスター発生装置の通風抵抗を小さくし、サージングを抑えつつ、クラスター粒子を室内に拡散させることができる。
【００１５】
第７の発明は、熱交換器と、送風機と、吸入口から前記熱交換器、前記送風機を通って吹出口に至る送風回路と、ペルチエ素子を有して、冷却面と放熱フィンを有し、冷却面に結露した水を、放電によってクラスター粒子にして空気中に放出させる水クラスター発生装置を備え、前記放熱フィンのみを前記送風回路の吹出口内に配し、前記ペルチエ素子冷却面から真横へ本体側部の開口に至る第２の送風路を形成することにより、送風回路内における水クラスター発生装置の通風抵抗を最小限に抑えながら、クラスター粒子を室内に拡散させることができる。
【００１６】
第８の発明は、特に、第６および、第７の発明の本体下部の開口付近に第２の送風機を設けることにより、室内にクラスター粒子を拡散させやすくすることができる。
【００１７】
（実施の形態１）
図１は、本発明の第１の実施の形態における空気調和機室内機の縦断面図、図２は吹出口を正面から見た正面図で、図３は、取り付けられる水クラスター発生装置の拡大斜視図であり、図４は水クラスターによる脱臭効果を示すグラフである。
【００１８】
図１〜２において、吸入口１から熱交換器２、送風機３を通って吹出口４に至る送風回路があり、吹出口４の内部に、この水クラスター発生装置５を、リアガイダの両端部の送風機３近傍から前吹出し口４までの間に設けられたブロック１２に囲まれるように固定する。
【００１９】
図３において、水クラスター発生装置５にはペルチエ素子６があり、その冷却面側７に接して冷却面８、放熱面側９に接して放熱フィン１０を固定する。また、冷却面上と、その上部には電極１１ａ、１１ｂを設け、この両電極間に高電圧を印加する。
【００２０】
また、水クラスター発生装置５の冷却面８を通過する風量を絞り、冷却面８の温度を下げるために、制御版１２を設ける。
【００２１】
以上のように構成された空気調和機室内機について、以下その動作、作用を説明する。
【００２２】
図４に示す通り、この水クラスターは反応性が高く、臭い成分に作用して無臭成分に分解する能力を持っており、カーテン生地にタバコ臭を付着させ、２時間後に、水クラスター放出の有無による臭気減衰の差を官能試験（６段階臭気表示法）にて評価した結果で、図の通り、自然減衰の場合に比べ明らかに効果が見られる。
【００２３】
このような高い脱臭機能を有する水クラスター発生装置５を有しながら、その水クラスター発生装置にサージング抑止のためのブロック１２と同様の役割を担わせ、且つ、通風抵抗を最小限に抑えることによって、送風性能の低下を最小限に抑えることができる。
【００２４】
（実施の形態２）
図５は、本発明の第２の実施の形態における空気調和機室内機の縦断面図、図６は吹出口を正面から見た正面図である。
【００２５】
以下の説明において、実施の形態１の説明と重複する水クラスター発生装置５の構成、脱臭効果とそのメカニズムに関する説明は省略する。
【００２６】
図５〜６において、前記放熱フィン１０のみを前記送風回路の吹出口４内に配し、リアガイダの両端部の送風機３近傍か前吹出し口４までの間に設けられたブロック１２に囲まれるように配し、前記ペルチエ素子冷却面７から真下へ本体下部の開口に至る第２の送風路とする構成を成している。
【００２７】
以上のように構成された空気調和機室内機について、以下その動作、作用を説明する。
【００２８】
高い脱臭機能を有する水クラスター発生装置５を有しながら、その水クラスター発生装置５にサージング抑止のためのブロック１２と同様の役割を担わせ、且つ、通風抵抗を最小限に抑えることによって、送風性能の低下を最小限に抑えることができる。また、水クラスター発生装置５から放出された水クラスターはペルチエ素子冷却面７に対し、垂直方向の速度を有するという特徴があるため、水クラスターを本体下部の開口１３から室内に放出することができる。
【００２９】
（実施の形態３）
図７は、本発明の第３の実施の形態における空気調和機室内機の縦断面図、図８は吹出口を正面から見た正面図である。
【００３０】
以下の説明において、実施の形態１、２の説明と重複する説明は省略する。
【００３１】
図７〜８において、前記放熱フィン１０のみを前記送風回路の吹出口内４に配し、前記ペルチエ素子冷却面７から真下へ本体下部の開口１３に至る送風回路を形成している。
【００３２】
以上のように構成された空気調和機室内機について、以下その動作、作用を説明する。
【００３３】
高い脱臭機能を有する水クラスター発生装置５を有しながら、その水クラスター発生装置５による通負抵抗を最小限に抑えることができる。また、水クラスター発生装置から放出された水クラスターはペルチエ素子冷却面７に対し、垂直方向の速度を有するという特徴があるため、水クラスターを本体下部の開口４から室内に放出することができる。
【００３４】
（実施の形態４）
図９は、本発明の第４の実施の形態における空気調和機室内機の縦断面図である。
【００３５】
図９において、実施の形態２もしくわ、実施の形態３のような構成を成す空気調和気室内機において、ペルチエ素子冷却面７から真下へ本体下部の開口１３付近に軸流ファンからなる第２の送風機１６を配する。
【００３６】
以上のように構成された空気調和機室内機について、以下その動作、作用を説明する。
【００３７】
本実施の形態では、水クラスター発生装置５から放出された水クラスターはペルチエ素子冷却面７に対し、垂直方向の速度を有するが、速度が非常に遅いため、第２の送風機１６によって効果的に拡散することができる。また、第２の送風機１６としてシロッコファンを用いても同様の効果が得られる。
【００３８】
（実施の形態５）
図１０は、本発明の第５の実施の形態における空気調和機室内機の縦断面図である。
【００３９】
図１０において、吸入口１から熱交換器２、送風機３を通って吹出口４に至る送風回路があり、吹出口４の内部に、この水クラスター発生装置５を、両側壁の送風機３近傍から前吹出し口部までの間に設けられたブロック１２に囲まれるように固定する。
【００４０】
以上のように構成された空気調和機室内機について、以下その動作、作用を説明する。
【００４１】
水クラスター発生装置５を有しながら、その水クラスター発生装置５にサージング抑止のためのブロック１２と同様の役割を担わせ、且つ、通風抵抗を最小限に抑えることによって、送風性能の低下を最小限に抑えることができる。
【００４２】
（実施の形態６）
図１１は、本発明の第６の実施の形態における空気調和機室内機の吹出口を正面から見た正面図および横から見た側面図である。
【００４３】
図１１において、前記放熱フィン１０のみを前記送風回路の吹出口４内に配し、両側壁の送風機３近傍か前吹出し口４までの間に設けられたブロック１２に囲まれるように配し、前記ペルチエ素子冷却面７から真横へ本体側部の開口１３に至る第２の送風路１５とする構成を成している。
【００４４】
以上のように構成された空気調和機室内機について、以下その動作、作用を説明する。
【００４５】
高い脱臭機能を有する水クラスター発生装置５を有しながら、その水クラスター発生装置５にサージング抑止のためのブロック１２と同様の役割を担わせ、且つ、通風抵抗を最小限に抑えることによって、送風性能の低下を最小限に抑えることができる。また、水クラスター発生装置５から放出された水クラスターはペルチエ素子冷却面７に対し、垂直方向の速度を有するという特徴があるため、水クラスターを本体側部の開口１３から室内に放出することができる。
【００４６】
（実施の形態７）
図１２は、本発明の第７の実施の形態における空気調和機室内機の吹出口を正面から見た正面図および横から見た側面図である。
【００４７】
図１２において、前記放熱フィン１０のみを前記送風回路の吹出口４内に配し、前記ペルチエ素子冷却面７から真横へ本体側部の開口１３に至る送風路１５を形成している。
【００４８】
以上のように構成された空気調和機室内機について、以下その動作、作用を説明する。
【００４９】
高い脱臭機能を有する水クラスター発生装置５を有しながら、その水クラスター発生装置５による通負抵抗を最小限に抑えることができる。また、水クラスター発生装置５から放出された水クラスターはペルチエ素子冷却面７に対し、垂直方向の速度を有するという特徴があるため、水クラスターを本体側部の開口１３から室内に放出することができる。
【００５０】
（実施の形態８）
図１４は、本発明の第８の実施の形態における空気調和機室内機の縦断面図、図１３は吹出口を正面から見た正面図である。
【００５１】
図１３および図１４において、実施の形態６もしくは、実施の形態７の構成を成す空気調和気室内機において、ペルチエ素子冷却面７から真横へ本体側部の開口１３付近に軸流ファンからなる第２の送風機１６を配する。
【００５２】
以上のように構成された空気調和機室内機について、以下その動作、作用を説明する。
【００５３】
本実施の形態では、水クラスター発生装置５から放出された水クラスターはペルチエ素子冷却面７に対し、垂直方向の速度を有するが、速度が非常に遅いため、第２の送風機１６によって効果的に拡散することができる。また、第２の送風機として、シロッコファンを用いても同様の効果が得られる。
【産業上の利用可能性】
【００５４】
以上のように、本発明にかかる空気調和機は、安全性が高く、室内の壁やカーテン等に付着している臭い成分まで除去できる機能を有しながら、送風性能の低下を最小限に抑え、且つ、サージングを抑えることが可能となるので、種々の空気調和機の用途にも適用できる。
【図面の簡単な説明】
【００５５】
【図１】本発明の実施の形態１における空気調和機室内機の縦断面図
【図２】本発明の実施の形態１における吹出口を正面から見た正面図
【図３】本発明の実施の形態１における水クラスター発生装置の拡大斜視図
【図４】本発明の実施の形態１における脱臭効果を示すグラフ
【図５】本発明の実施の形態２における空気調和機室内機の縦断面図
【図６】本発明の実施の形態２における吹出口を正面から見た正面図
【図７】本発明の実施の形態３における空気調和機室内機の縦断面図
【図８】本発明の実施の形態３における吹出口を正面から見た正面図
【図９】本発明の実施の形態４における空気調和機室内機の縦断面図
【図１０】本発明の実施の形態５における空気調和機室内機の縦断面図
【図１１】本発明の実施の形態６における吹出口を正面から見た正面図
【図１２】本発明の実施の形態７における吹出口を正面から見た正面図
【図１３】本発明の実施の形態８における吹出口を正面から見た正面図
【図１４】本発明の実施の形態８における空気調和機室内機の縦断面図
【符号の説明】
【００５６】
１  吸入口
２  熱交換器
３  送風機
４  吹出口
５  水クラスター発生装置
６  ペルチエ素子
７  ペルチエ素子冷却面側
８  冷却面
９  ペルチエ素子放熱面側
１０  放熱フィン
１１ａ  冷却面側の電極、
１１ｂ  上の電極
１２  ブロック
１３  開口
１４  送風路
１５  第２の送風機
１６  フィルタ
【図１】
2006097955.tif 000003
【図２】
2006097955.tif 000004
【図３】
2006097955.tif 000005
【図４】
2006097955.tif 000006
【図５】
2006097955.tif 000007
【図６】
2006097955.tif 000008
【図７】
2006097955.tif 000009
【図８】
2006097955.tif 000010
【図９】
2006097955.tif 000011
【図１０】
2006097955.tif 000012
【図１１】
2006097955.tif 000013
【図１２】
2006097955.tif 000014
【図１３】
2006097955.tif 000015
【図１４】
2006097955.tif 000016